(57)【特許請求の範囲】
【請求項１】
現像済みのストリップフィルムをつなぎ部材でつなぎ合わせて長尺写真フィルムを作成するフィルムスプライサーと、前記長尺写真フィルムを送り出すフィルム送り出し部と、前記フィルム送り出し部によって送り出された前記長尺写真フィルムにおける前記各ストリップフィルムのつなぎ合わせ領域を切断分割して再び個別のストリップフィルムを作り出すフィルム切断装置と、前記フィルム切断装置から送られてきた前記個別のストリップフィルムの撮影画像を印画紙上に焼付処理する焼付露光装置とを備え、前記フィルム送り出し部と前記フィルム切断装置と前記焼付露光装置がフィルム搬送手段の搬送経路に配設されている写真焼付処理システム。
【請求項２】
前記長尺写真フィルムはリールによってロール状に収納されており、前記フィルム送り出し部は、装着されたリールから長尺写真フィルムを引き出すように構成されている請求項１に記載の写真焼付処理システム。
【請求項３】
前記ストリップフィルムにフィルムＩＤ番号を付与するＩＤ番号付与装置が備えられている請求項１又は２に記載の写真焼付処理システム。
【請求項４】
前記つなぎ部材にこのつなぎ部材によってつなぎ合わせられるストリップフィルムのためのフィルムＩＤ番号を付与するＩＤ番号付与装置が備えられている請求項１又は２に記載の写真焼付処理システム。
【請求項５】
前記フィルムＩＤ番号は直接ストリップフィルム又はつなぎ部材に印字される請求項３又は４に記載の写真焼付処理システム。
【請求項６】
前記フィルム切断装置は、前記つなぎ部材を前記ストリップフィルムに残すように切断する残しモードと前記つなぎ部材を前記ストリップフィルムから除去するように切断する除去モードのいずれかで動作することができる請求項１〜５のいずれかに記載の写真焼付処理システム。
【請求項７】
前記フィルムＩＤ番号を読み取るＩＤ番号読取装置と、前記ＩＤ番号読取装置で読み取られたフィルムＩＤ番号を前記フィルムＩＤ番号をもつストリップフィルムのコマ画像を焼き付けた印画紙の裏面に印字する印字装置とが備えられている請求項３又４に記載の写真焼付処理システム。
【請求項８】
露光焼付処理を終了した前記ストリップフィルムを数コマ単位でカットしてピースフィルムを作成し、このピースフィルムをネガシートに挿入するフィルムカットインサータが備えられている請求項１〜７のいずれかに記載の写真焼付処理システム。
【発明の詳細な説明】
【０００１】
【発明の属する技術分野】
本発明は、現像済みのストリップフィルム（一般にはフィルム１本分の長さをもったネガフィルムのことである）を１本づつ投入しながら、露光焼付処理を行う写真焼付処理システムに関する。
【０００２】
【従来の技術】
一般に、カメラによる撮影が終了したネガフィルムは、ＤＰＥ店へ持ち込まれ、同時プリントが依頼される。まず、ネガフィルムはパトローネから引き出された後、フィルム現像機によって現像され、乾燥される。乾燥されたネガフィルム、つまりストリップネガは露光焼付装置のネガ装着部に近くに吊り下げられ、オペレータによって１本づつストリップネガが投入され、ストリップネガ単位で露光焼付処理が行われる。
【０００３】
もちろん、大規模な現像所（ラボ）では、８０〜１００本単位の未現像のネガフィルムをフィルムスプライサーでつなぎ合わせて長尺フィルムロールとし、連続的に現像処理を行い、さらに現像されたフィルムロールをそのまま高速の露光焼付装置に装着して、連続的に撮影画像を印画紙に焼き付け、大量の露光焼付処理が行われる。このような大がかりなフィルム現像機や露光焼付装置を小規模なＤＰＥ店に配置することは適当ではない。
【０００４】
【発明が解決しようとする課題】
しかしながら、小規模なＤＰＥ店においても、省力化を推し進めていく上で、オペレータが１本づつストリップネガを露光焼付装置に投入するという作業を簡単化したいという要望がでてきている。
本発明の目的は、小規模なＤＰＥ店に配置される写真処理システム、つまりミニラボにおいても、露光焼付装置へのストリップネガの投入を簡単化することである。
【０００５】
【課題を解決するための手段】
上記目的を達成するため、本発明による写真焼付処理システムでは、現像済みのストリップフィルムをつなぎ部材でつなぎ合わせて長尺写真フィルムを作成するフィルムスプライサーと、前記長尺写真フィルムを送り出すフィルム送り出し部と、前記フィルム送り出し部によって送り出された前記長尺写真フィルムにおける前記各ストリップフィルムのつなぎ合わせ領域を切断分割して再び個別のストリップフィルムを作り出すフィルム切断装置と、前記フィルム切断装置から送られてきた前記個別のストリップフィルムの撮影画像を印画紙上に焼付処理する焼付露光装置とを備え、前記フィルム送り出し部と前記フィルム切断装置と前記焼付露光装置がフィルム搬送手段の搬送経路に配設されている。
【０００６】
この構成では、同時プリントの注文を受けた写真フィルムは現像された後、フィルムスプライサーによって長尺化され、その長尺化されたフィルムの形で焼付露光装置に一旦装着され、自動的に送り出されながら、フィルム切断装置によって再びストリップフィルムの形にカットされ、ストリップフィルムとして焼付処理される。
従って、１本づつストリップフィルムを投入する必要がなくなるにもかかわらず、焼付処理はストリップフィルムとして行われるので、焼付露光装置は、従来のストリップフィルムを処理する構造のものがそのまま使える。
【０００７】
本発明の好適な実施形態の１つとして、前記長尺写真フィルムはリールによってロール状に収納されており、前記フィルム送り出し部は、装着されたリールから長尺写真フィルムを引き出すように構成されているものがある。この場合、長尺写真フィルムの格納に大きなスペースが不必要であり、リールを回転させるだけで写真フィルムが引き出されるのでフィルム送り出し部の構造も簡単となる。また、大規模現像所で大量処理されロール化された写真フィルムもそのまま装着することができる。
【０００８】
焼付処理の前に、ストリップフィルム化されるので、各ストリップフィルムを識別できるように、フィルムスプライサーで長尺化される際に各ストリップフィルムにフィルムＩＤ番号を付与するためのＩＤ番号付与装置が備えられているものもある。これにより、顧客からの受注時にＤＰ袋に貼り付けて発行される受注番号に対応するフィルムＩＤ番号をシール等を介して各フィルムに付与することで、以後の写真処理において、受注情報と写真フィルムを関連づけることができる。
フィルムＩＤ番号を各写真フィルムに付与する以外、つなぎ部材に付与することも可能であり、この場合、写真フィルムにはフィルムＩＤ番号を付与するスペースが限定されているのに対して、自由につなぎ部材の表面を利用することができる。
【０００９】
長尺フィルムをカットしてストリップフィルム化する際、フィルムＩＤ番号がつなぎ部材に付与されている場合にはこのつなぎ部材を残しておかなければならないので、フィルム切断装置は、つなぎ部材をストリップフィルムに残すように切断する残しモードと、つなぎ部材をストリップフィルムから除去するように切断する除去モードのいずれでも動作できるように構成することが好ましい。
【００１０】
本発明の好適な実施形態において、前述したようなフィルムＩＤ番号を読み取るＩＤ番号読取装置と、このＩＤ番号読取装置で読み取られたフィルムＩＤ番号を前記フィルムＩＤ番号をもつストリップフィルムのコマ画像を焼き付けた印画紙の裏面に印字する印字装置とが備えられているならば、撮影画像が焼き付けられた仕上がりプリントと元の写真フィルムとの照合が容易となる。
【００１１】
さらに、写真焼付処理システムの完全自動化を達成するためには、露光焼付処理を終了したストリップフィルムを数コマ単位でカットしてピースフィルムを作成し、このピースフィルムをネガシートに挿入するフィルムカットインサータを備えることが提案される。これにより、処理対象となる写真フィルムの投入から処理済み写真フィルムのネガシートへの収納までの自動化が実現する。
本発明によるその他の特徴及び利点は、以下図面を用いた実施例の説明により明らかになるだろう。
【００１２】
【発明の実施の形態】
図１には、ＤＰＥ店における、比較的小規模な写真処理システム（ミニラボ）の構成が概略的に示されている。ＤＰＥ店には、カメラ撮影を終えた顧客から未現像のネガフィルム１、つまり１本分の長さをもったストリップネガ１Ａを収納したパトローネが持ち込まれ、通常同時プリントが注文される。顧客の名前や住所及びプリントサイズなどをＤＰ袋に書き込むとともに持ち込まれたパトローネをそのＤＰ袋２に入れられる。このＤＰ袋２には、予め、バーコード表示された受付番号を印字しているシール２ａが貼り付けられている。
【００１３】
パトローネを収納したＤＰ袋２が受付台１００に渡されると、ＤＰ袋２からパトローネが取り出されるとともにＤＰ袋２に貼り付けられていた受付番号やプリントサイズなどの注文情報がリンクされた状態で写真焼付装置のコントローラに入力される。パトローネから引き出されたストリップネガ１ＡはＩＤ番号付与装置１１０に送られ、ＤＰ袋２に貼り付けられた受付番号と関連づけられたフィルムＩＤ番号が所定箇所に付与される。その後、ストリップネガ１Ａはフィルム現像機１２０に送られると、自動的に、現像、漂白、定着、水洗等の処理槽内を搬送され、かつ乾燥処理されて、撮影画像が顕像化される。この顕像化された多数のストリップネガ１Ａは露光焼付処理のために、順々に接続されてロール状の長尺ネガフィルムが作成される。このストリップネガ１Ａの長尺化は、フィルムスプライサー１３０につなぎ部材としてのスプライステープを用いて先行するストリップネガ１Ａの後端とこれに続くストリップネガ１Ａの先端を順次つなぎ合わせていく手法で実施され、この長尺化されたストリップネガ１Ａをリール４に巻き取ることにより現像済みの長尺ネガロールが作成されるのである。
【００１４】
リール４に巻かれた長尺ネガロールをフィルム送り出し部１０に装填することにより、一連の露光焼付処理が自動的に行われる。まず、スプライステープによってつながれたストリップネガ１Ａはフィルム送り出し部１０から送り出されところで、まずフィルムＩＤ番号読取装置１４０によってフィルムＩＤ番号が読み取られるとともに、フィルム切断装置６０によってスプライステープのところで切断され、再び単独のストリップネガ１Ａとなる。つまり、１本単位でストリップネガ１Ａは露光焼付装置３０に送られることになる。
【００１５】
露光焼付装置３０では、ストリップネガ１Ａのコマが順次露光位置に位置決めされ、所定の露光量で所定枚数分を印画紙３に露光焼き付けされる。順次コマ画像を焼き付けられた印画紙３は、印画紙用印字装置１６０によって、対応するストリップネガ１Ａに印字されているＩＤ番号と同じＩＤ番号をその裏面に印字される。その後、印画紙現像機１７０によって現像された印画紙３は、ペーパーカッター１８０によって焼き付けコマ毎にカットされ、仕上がり写真プリントとして照合ステーション２００に送られる。
【００１６】
焼付処理が終了したストリップネガ１Ａは、ネガカットインサータ１９０へ送られ、所定のコマ数毎（例えば、４コマ又は６コマ毎）にカットされ、ピースネガ１Ｂとしてネガシートに順次収容され、写真プリントと照合するため、照合ステーション２００に送られる。
【００１７】
照合ステーション２００では、ピースネガ１Ｂのコマ画像と写真プリントの対応関係と仕上がり状態をチェックし、合格の場合はネガシートと写真プリントを受付時に受け取ったＤＰ袋２に収納する。焼付不良等が生じた場合、再度焼き直しし、再び照合ステーション２００で照合した後、ＤＰ袋２に収納される。
【００１８】
次に、フィルムＩＤ番号付与装置１１０の構成を図２を用いて説明する。
この付与装置１１０は、シールシート１１１のシール１１１ａにフィルムＩＤ番号を示すバーコードと数字を印字する印字ヘッド１１２と、シールシート１１１からシール１１１ａを剥がしてストリップフィルム１Ａのカブリ部に貼り付ける貼付機構１１３とを備えている。印字ヘッド１１２と貼付機構１１３はそれぞれドライバ１１２ａ、１１３ａを介して制御部１１４と接続されている。この制御部１１４には、受付台１００に配置されているキーボード１０１とバーコードリーダ１０２が接続されている。バーコードリーダ１０２は、ＤＰ袋２に貼り付けられているコードシールから受付番号を表しているバーコードを読み取るものであり、読み取られた受付番号は制御部１１４のメモリーに格納される。ＤＰ袋２にバーコードが貼り付けられておらず、数字などで記録されている場合、オペレータによってキーボード１０１から受付番号を直接入力し、制御部１１４のメモリーに格納することも可能である。さらに、制御部１１４には、ストリップネガ１Ａのパーフォレーションを検出する光センサー１１５や、ネガ搬送のための搬送ローラ１１６を駆動するモータ１１７もここでは図示されていないドライバーを介して接続されている。モータ１１７にはモータ１１７の回転を検出できるようにエンコーダがその回転軸に設けられており、エンコーダの出力信号は制御部１１４に送られる。これにより、ストリップフィルム１Ａの搬送は制御部１１４によって自在に制御される。
【００１９】
制御部１１４はメモリーに格納された受付番号に関係づけられたフィルムＩＤ番号を生成し、このフィルムＩＤ番号のためのバーコードと数字をシールシート１１１のシール１１１ａに印字するように印字ヘッド１１２に命令を送る。印字ヘッド１１２によって印字されたシール１１１ａは貼付機構１１３に送られる。光センサー１１５がストリップネガ１Ａの先端領域を検出することによりシール貼付動作のタイミングが演算され、シール１１１がストリップネガ１Ａの所定の箇所に貼り付けられるように、貼付機構１１３の動作が制御部１１４によって制御される。フィルムＩＤ番号を付与されたストリップフィルム１Ａは、さらにフィルム現像機１２０に送られ、従来通りの現像処理を受ける。現像処理が終えた複数のストリップフィルム１Ａはフィルムスプライサー１３０によって長尺化される。
【００２０】
図３に示されているフィルムスプライサー１３０は、１本づつ投入された現像済みのストリップネガ１Ａをスプライステープ１３６によってつなぎ合わせて長尺のネガロールを作成するものであり、ストリップネガ１Ａを搬送する搬送ローラ１３１、必要に応じてストリップネガ１Ａの端部をカットするカッター１３２、前後に並んで搬送されるストリップネガ１Ａの後端と先端の間の接合部を検出してスプライステープ１３６を貼り付けることによりつなぎ合わせるスプライシングユニット１３３、つなぎ合わせたストリップネガ１Ａを長尺ネガとしてリール４に巻き取るための巻き取りモータ１３４、さらにこれらの動作機器を制御する制御部１３５などを備えている。オペレータによって１本づつ投入されたストリップネガ１Ａを互いにつなぎ合わしてリール４に巻き取られた長尺ネガロールは、写真焼付装置のフィルム送り出し部１０に装着される。
【００２１】
次に、図４〜図６を用いて長尺化されたストリップネガ１Ａを処理する写真焼付装置の全体構成を説明する。
図４にその外観が示された写真焼付装置は、後述する画像情報読取り装置や焼付け露光装置などを内装しており、リール４に巻かれた現像済み長尺ネガ１の画像情報を画像情報読取り装置２０が読取ってディスプレイ９ａに表示し、その表示内容に基づいてオペレータが操作卓９ｂを操作することにより、焼付け露光装置３０が適正な露光量で印画紙に露光し、その後、現像などの処理を経て、最終的に仕上げられたプリントが、プリント収納部１１に排出されるように構成されている。
【００２２】
前記リール４には、図５や図６に示すように、現像済みの長尺ネガフィルム１が巻かれている。この長尺ネガフイルム１は、必要に応じて露光焼付処理の前に再び接合箇所で切断され、再びストリップネガ１Ａとなる。リール４が装着されるフィルム送り出し部１０には、ネガフイルム１の弛みを取るダンサー５が配設され、かつ、このリール４から画像情報読取り装置２０や焼付露光装置３０の方に、リール４に巻かれたストリップネガ１Ａを搬送するフィルム搬送手段４０が配設されている。
【００２３】
このフィルム搬送手段４０は、第１搬送部と第２搬送部とから構成されており、第１搬送部は、パルスモータ４１によって回転駆動される第１駆動ローラ４２とこの第１駆動ローラ４２に当接する２個の駆動用遊転ローラ４３、ＤＣモータ４４によって回転駆動される第２駆動ローラ４５とこの第２駆動ローラ４５に当接する駆動用遊転ローラ４６、方向変換用の遊転ローラ４７、ならびに、互いに当接する一対の遊転ローラ４８などからなり、ストリップネガ１Ａを画像情報読取り装置２０の方へ搬送する。この第１搬送部の搬送経路中には、フィルム切断装置６０が備えられており、ここで、長尺化されたストリップネガ１Ａが再び個別のストリップネガ１Ａとなるようにその接合箇所で切断分割される。このフィルム切断装置６０は、スプライステープ部分を対応するストリップネガ１Ａに残すように切断する残しモードと、スプライステープ部分を両側から切断してスプライステープ部分を除去する除去モードの両方で動作するように構成されている。スプライステープ部分を除去する除去モードでは、２カ所の切断が必要となるが、これにより搬送途中でスプライステープ部分がひっかかるなどの悪影響をあたえることが回避されるという利点が得られる。
搬送手段４０の第２搬送部は、ストリップネガ１Ａを画像情報読取り装置２０にまで搬送するものであり、第３駆動ローラ４９と駆動用遊転ローラ５０や一対の遊転ローラ５１などから構成されている。
【００２４】
搬送手段４０の搬送経路中にはセンサー群が設けられているが、例えば前記第１駆動ローラ４２よりも搬送方向上手側には、ネガフイルム１の存在を検出するフイルム検出センサ８１が、搬送方向下手側には、スプライステープによってつながれたストリップネガ１Ａのつなぎ部領域を検出する端部検出センサ８２が、それぞれ配設され、これら両検出センサ８１，８２は発光器と受光器とから構成されている。
【００２５】
この端部検出センサ８２よりも搬送方向下手側で、かつ、フイルム切断手段６０よりも搬送方向上手側には、各ストリップネガ１Ａが焼付け露光装置３０による処理に適しているか否かを判別する画像コマ判別手段８３が配設されている。この画像コマ判別手段８３は、発光器と受光器とからなる２個の画像コマ検出センサ８３ａ，８３ｂからなり、ストリップネガ１Ａを透過した光の受光量に基づいて撮影画像が形成されているコマを検出して、各画像のコマの長さを判別するように構成されている。具体的には、コマエッジの検出信号に基づいて、各オーダーの画像コマピッチを測定するとともに、画像コマの幅方向の長さを測定して、各画像コマがフルサイズであるか、パノラマサイズであるか、あるいは、ハーフサイズであるかを判別するように構成されている。
【００２６】
前記フイルム切断手段６０の搬送方向直前には、各ストリップネガ１Ａの先端部に貼り付けられたシール１１１ａからバーコードシートとしてのフィルムＩＤ番号を読み取るフィルムＩＤ番号読取装置３００が設けられている。読み取られたＩＤ番号は、この写真焼付装置全体を制御しているコントローラ５００に送られ、以後の各写真処理における対象ストリップネガ１Ａの特定に用いられる。
【００２７】
前記フイルム切断手段６０よりも搬送方向下手側には、切断されたフイルムの不要部分などを搬送経路から離脱させるための排出機構７が配設されている。この排出機構７は、搬送径路の下方に配設された屑箱７ａと、この屑箱７ａの開口部に位置され、かつ、ストリップネガ１Ａが通過するスリットを有する揺動自在なガイド部材７ｂ、ならびに、このガイド部材７ｂを揺動駆動する図外のソレノイドとからなり、図６の実線で示す状態においては、ストリップネガ１Ａがスリット内を通過し、仮想線で示す状態においては、フイルムの不要部分などが案内されて屑箱７ａ内へ落下するように構成されている。
【００２８】
この排出機構７よりも搬送方向下手側には、ループタンク８が配設され、このループタンク８の内部が、ストリップネガ１Ａをループ状に収納保持するループ保持空間８ａに構成されるとともに、ループタンク８の開口部には開閉自在なループガイド８ｂが設けられ、図外のＤＣモータにより開閉駆動されるように構成されている。図５ではストリップネガ１Ａがループ収納されていない状態が示されており、図６ではストリップネガ１Ａがループ収納されている状態が示されている。
前記ループタンク８よりも搬送方向下手側で、かつ、前記第２駆動ローラ４５よりも搬送方向下手側には、ストリップネガ１Ａの先端部を検出するための発光器と受光器とからなる先端検出センサ８４が配設され、この先端検出センサ８４よりもさらに搬送方向下手側には、前記画像コマ判別手段８３によって不適と判別されたストリップネガ１Ａを画像情報読取り装置２０や焼付け露光装置３０による処理から回避する搬送径路分岐手段９０が配設されている。
【００２９】
前記搬送径路分岐手段９０からさらに搬送方向下流側に離れたところには、上述の画像情報読取り装置２０と焼付け露光装置３０とが、この順に配設されている。この画像情報読み取り装置２０と焼付け露光装置３０とは、共に従来より知られている構造で、画像情報読取り装置２０の方は、ランプ２１、ミラートンネル２２、撮像装置２３などから構成され、焼付け露光装置３０の方は、露光ランプ３１、調光フイルタ３２、ミラートンネル３３、光学系３４、シャッタ３５などからなり、ストリップネガ１Ａの画像を引き伸ばして印画紙３上に焼き付けるように構成されている。第２搬送部の終端領域にはストリップネガ１Ａをカットして作成されたピースネガをネガシートに挿入するネガカットインサータ１９０が設けられている。
【００３０】
焼付処理が終えた印画紙３の裏面に焼付画像に対応する撮影画像を有するストリップネガ１Ａに与えられたフィルムＩＤ番号を印字する印画紙用印字装置１６０が印画紙搬送ラインに設けられている。この印画紙用印字装置１６０は前述したコントローラ５００と接続されており、ＩＤ番号読取装置３００によって読み取られたＩＤ番号を印字すべくコントローラ５００によって制御される。この印画紙用印字装置１６０としては、一般にはドットプリンターが用いられるが、満足すべき耐現像処理液性が得られる場合サーマルプリンターなどの他の形式のプリンターを用いることも可能である。
【００３１】
図７には写真処理システムの別な実施形態が示されており、図１に示された写真処理システムと比べて、フィルムＩＤ番号付与装置１１０がフィルムスプライサー１３０と統合されていることで異なっている。つまり、受け付けられた現像済みのストリップネガ１Ａに対して現像処理が終えてから、フィルムスプライサー１３０で長尺化される際に、各ストリップネガ１ＡにフィルムＩＤ番号を付与するのである。フィルムＩＤ番号は、図１の実施形態のようにバーコードシール１１１ａをストリップネガ１Ａに貼り付けることにより付与してもよいが、スプライステープにバーコードシール１１１ａを貼り付けることも可能である。
【００３２】
図８で示された写真焼付装置の構成は、図４〜図６による写真焼付装置に比べて、フィルムスプライサー１３０がフィルム送り出し部１０に組み込まれていることで異なっている。この場合、現像済みの複数のストリップネガ１Ａがオペレータによってフィルム送り出し部１０に投入されると、フィルムスプライサー１３０によって長尺化され、ループ状にストレージされ、順次フィルム切断装置６０によって再びストリップネガ１Ａにされ、露光焼付処理が行われる。オペレータは、最初に複数のストリップネガ１Ａを１本づつ投入するだけで、後は露光焼付処理や照合作業に集中することができる。
【図面の簡単な説明】
【図１】本発明による写真処理システムの概略構成を示すブロック図
【図２】ＩＤ番号付与装置の１つの実施形態を示す模式図
【図３】フィルムスプライサーの１つの実施形態を示す模式図
【図４】本発明による写真処理システムで用いられる写真焼付装置の外観図
【図５】図４による写真焼付装置の構成を示す概略図
【図６】図４による写真焼付装置の図５とは異なる稼働形態における概略図
【図７】本発明による写真処理システムの別な実施形態の概略構成を示すブロック図
【図８】本発明による写真焼付装置の別な実施形態を示す概略図
【符号の説明】
１    ネガフィルム
１Ａ  ストリップネガ
２    ＤＰ袋
１０    フィルム送り出し装置
３０    露光焼付装置
６０    フィルム切断装置
１００    受付機
１１０    フィルムＩＤ番号付与装置
１２０    フィルム現像機
１３０    フィルムスプライサー
１４０    フィルムＩＤ番号読取装置
１６０    印画紙用印字装置
１７０    印画紙現像機
１８０    ペーパーカッター
１９０    ネガカットインサータ
２００    照合ステーション
【図１】
0003590921.tif 000002
【図２】
0003590921.tif 000003
【図３】
0003590921.tif 000004
【図４】
0003590921.tif 000005
【図５】
0003590921.tif 000006
【図６】
0003590921.tif 000007
【図７】
0003590921.tif 000008
【図８】
0003590921.tif 000009